(57)【要約】【課題】ネクタイの結び目部分に所謂「へそ」（ネクタイ中央のくぼみ）を形成できるとともに結び目部分とネクタイ本体部分の生地や色を変えることもでき、またネクタイの生地を減らすことや生地の一部を取替えることができることにより、ファッション性に富み、生地をリディース・リユースできることで環境性にも配慮したネクタイを製造できるネクタイ結び目形状体を提供することを目的とする。【解決手段】結び目形成部を中央分割することでネクタイ大剣部上端を折り込むことができ、ワイシャツ等衣類への取付をワイシャツ等のボタン等に簡易に装着できる装着部よりなるネクタイ結び目形状体を使用してネクタイを製造する。【選択図】図２
2007291583.tif 000002
【特許請求の範囲】
【請求項１】
ネクタイの結び目部分の形状を有する結び目形成部が、縦中央線にて分割することにより、その分割面でネクタイ生地を挟み込むことができ、ワイシャツ等衣服への装着部が、薄い曲面体でワイシャツ等衣類のボタンに取付けるための空間を有する形状を有し、装着部を結び目形成部に接合することによりなるネクタイ結び目形状体。
【請求項２】
ネクタイの結び目部分の形状を有する結び目形成部が、縦中央線にて分割することにより、その分割面でネクタイ生地を挟み込むことができ、ワイシャツ等衣服への装着部が、結び目形成部に伸縮自在の材料からなる留め具を取付け、ワイシャツ等衣服の襟首部に取付けた紐状体に引っ掛けることにより、ワイシャツ等衣服に装着ができるようにしたネクタイ結び目形状体。
【発明の詳細な説明】
【技術分野】
【０００１】本発明は、ネクタイの表面に所謂「へそ」（中央のくぼみ）を付けること事が容易で、ネクタイの結び目形状を形成する部分（以下、結び目形成部）とネクタイ幅広部分（以下、大剣部）との生地や色を変えることができ、ファッション性に優れているネクタイを提供するための、ネクタイの結び目形状を有する形状体（以下、ネクタイ結び目形状体）に関する。
【背景技術】
【０００２】通常のネクタイでは、ワイシャツの前に結び目を作り、ネクタイの大剣部を、結び目部分から下方に垂らす状態でワイシャツ前面に装着する。しかしながら、ネクタイの表面に所謂「へそ」（中央のくぼみ）を付けること事は、装着する際手間がかかりきれいに「へそ」を形成することは難しい。また結び目形成部と大剣部との生地や色を変えることも、ネクタイが一体でできていることから難しい。さらにネクタイの幅狭部分（以下、小剣部）は通常大剣部の下に隠れて見えないため、デザイン上は通常不要であるが、襟首の回りにネクタイを巻きつけた後結びを作る必要があるため、小剣部の生地をなくすことはできなかった。またネクタイの一部が汚れや傷で取替えたい場合でも、ネクタイが一体でできていることから一部のみを取替えることはできなかった。【０００３】そこで、予め合成樹脂で形成された結び目形状のコアを利用して、このコア部分に沿って結び目布地を取り付けることで結び目を形成するようにしたネクタイが提案されている。（たとえば、特開平８−９３８０６号公報参照）
【特許文献１】特開平８−９３８０６号公報
【０００４】上記ネクタイは、ネクタイの結び目部分を形成する生地と、ネクタイ本体部分を形成する生地とが一体に形成され分離できず、ネクタイ全体のデザイン上の制限から、一つの結び目部分に対して複数種類のネクタイ本体部を付け替えることができなかった。【０００５】そこで上記課題を解決するため、結び目部分を一度装着したら、この結び目部分を装着した状態のまま、ネクタイ本体部分のみを自由に着脱することが可能であるネクタイが提案されている。（特開２００５−９００４号公報参照）
【特許文献２】特開２００５−９００４号公報
【発明の開示】
【発明が解決しようとする課題】
【０００６】しかし、上記ネクタイは、結び目形成具とネクタイ本体部分を接続するための接続金具が必要であり複雑な構造となっており重くなることもあり得る。またネクタイ表面にきれいに「へそ」を形成することは難しいと思える。【０００７】この結び目形成具のワイシャツへの取付け方法について「特許請求の範囲」には記載がない。「発明の実施の形態」では、結び目形成具をワイシャツへ取付け時に補助ネクタイが必要である旨の記載があり、ネクタイの生地の使用量を減らすことはできない。【０００８】そこで、本発明は、上記問題点に鑑みてなされ、結び目形成部分とネクタイ本体部分を接続する手段が容易で接続金具も必要とせず、また結び目形成部とワイシャツ等の衣類への取付けが簡単で、補助ネクタイも必要としないネクタイ結び目形状体を提供することを目的としている。
【課題を解決するための手段】
【０００９】上記問題を解決するために、本発明では以下（１）と（２）を提供する。
（１）については、
（１）ネクタイの結び目部分の形状を有する「結び目形成部」が、縦中央線にて分割することにより、その分割面でネクタイ生地を挟み込むことができ、ワイシャツ等衣服への「装着部」が、薄い曲面体でワイシャツ等衣類のボタンに取付けるための空間を有する形状を有し、装着部を結び目形成部に接合することによりなるネクタイ結び目形状体である。【００１０】（１）の発明によれば、本発明のネクタイ結び目形状体は、ネクタイの結び目部分を形成する「結び目形成部」と、ワイシャツ等衣服のボタン等に掛けて装着する「装着部」とを備えている構成とした。【００１１】なお装着部を前もってワイシャツ等衣服のボタンに装着した後に、結び目形成部を装着部に一体化することもできるよう着脱自在の構造とした。【００１２】上記構成において、「結び目形成部」の形状は所謂ネクタイの結び目部分の形状を有し、その「結び目形成部」の下部において、ネクタイ大剣部上端を挟み込むことのできる形状を有する必要があり、結び目形成部の上部には「装着部」を形成するための形状も有する必要がある。「結び目形成部」の材質としては特に限定されないが、たとえば、樹脂など軽量で成型が容易なものが挙げられる。【００１３】「結び目形成部」は、縦中央線で分割することができ、その分割面下部にてネクタイ大剣部上端を挟み、その際のネクタイ大剣部上端の折り込み方法で表面に「へそ」を作るか、また通常の結び目形状を作る等を選択できる。「結び目形成部」の分割面下部には、ネクタイ大剣部が落ちないよう摩擦抵抗を大きくするため、大剣部を挟み込む部分にギザギザ（のこぎり状の細かい刻み模様）等を施す。【００１４】ネクタイ生地が厚い場合には、「結び目形成部」下部において両分割面が接する部分に、生地が入るための間隙を作った上、分割面から針状の突起を出して生地を貫通させ、ネクタイ大剣部生地を留め、ネクタイ大剣部上端を挟み込むことでネクタイ結び目形状体に固定することもできる。【００１５】「結び目形成部」の相対する分割面には、それぞれ突起部とその突起に対応する嵌合穴を有し、着脱自在とすることで、接合及び分割が可能である。【００１６】「結び目形成部」にネクタイ生地を覆う場合には、生地で「結び目形成部」を覆うことのできる形状に切断後、接着剤を使って接着することもできる。生地を取替えて使用する場合には、結び目形成部及び生地にマジックテープ等を適切な箇所に付すことで、生地の貼付けや取外しが容易にできる。【００１７】ワイシャツ等衣服に「ネクタイ結び目形状体」を取り付けるために、「結び目形成部」の上部に「装着部」を取り付ける。「装着部」は曲面体の形状（樹脂等で製造）で、ワイシャツ等衣服のボタンに装着するために、ボタンの糸等を通すための空間（くびれ部）を形成する。また「装着部」を「結び目形成部」に挿入するため、「装着部」表面に突起を有し、「結び目形成部」上部の相対する箇所に嵌合穴を形成することにより、両者を結合させることができる。【００１８】「装着部」と「結び目形成部」は着脱自在とし、ワイシャツ等衣服のボタンの位置によっては、ワイシャツ等衣服を先に着てから「ネクタイ結び目形状体」を使用して完成されたネクタイを取り付けることが難しい時は、先に「装着部」をワイシャツ等衣服のボタンに取り付け、その後「結び目形成部」の嵌合穴を「装着部」の突起部に押し付けて結合することができる。【００１９】さらに、本発明は、以下を提供する。
（２）ネクタイの結び目部分の形状を有する結び目形成部が、縦中央線にて分割することにより、その分割面でネクタイ生地を挟み込むことができ、ワイシャツ等衣服への装着部が、結び目形成部に伸縮自在の材料からなる留め具を取付け、ワイシャツ等衣服の襟首部に取付けた紐状体に引っ掛けることにより、ワイシャツ等衣服に装着ができるようにしたネクタイ結び目形状体である。【００２０】（２）の発明によれば、ネクタイ結び目形状体は、ネクタイの結び目部分を形成する「結び目形成部」と、ワイシャツ等衣服に装着する「装着部」とを備えている構成としている点で（１）と共通する。【００２１】またネクタイの結び目部分の形状を有する結び目形成部が、縦中央線にて分割することができ、その分割面でネクタイ生地を挟み込むことができる構成は（１）と同じである。【００２２】（２）の発明では、ワイシャツ等衣服への装着部が、結び目形成部に伸縮自在の材料からなる留め具を取付け、ワイシャツ等衣服の襟首部に取付けた紐状体に引っ掛けることにより、ワイシャツ等衣服に装着ができる点が（１）と異なる特徴である。
【発明を実施するための最良の形態】
【００２３】以下に、上記（１）の発明である第１実施形態に係る「ネクタイ結び目形状体」について説明する。【００２４】図１は、ネクタイ結び目形状体のネクタイの結び目部分を形成する「結び目形成部」の説明図である。「結び目形成部」１１は、合成樹脂により形成されており、いわゆるネクタイの結び目部分と同様の形状をしている。「結び目形成部」は、縦中央線で分割することができ、その分割面下部にてネクタイ大剣部上端を挟むことができる。【００２５】「結び目形成部」の分割面下部には、ネクタイ大剣部が落ちないよう摩擦抵抗を大きくするため、大剣部を挟み込む部分にギザギザ（のこぎり状の細かい刻み模様）１４を施す。また「結び目形成部」の下部において、ネクタイ大剣部上端を挟み込む部分１５の形状は生地を挟み込むための一定の幅を有する必要がある。【００２６】図１（ｄ）は「結び目形成部」の縦分割線Ａ−Ａ’で分割した時の展開図を示す。分割面上に突起部１２と、その相対する分割面上に嵌合穴１３を形成し、突起部１２を嵌合穴１３に挿入することで両面を接合することができる。その分割面下部にてネクタイ大剣部上端を挟み、その際のネクタイ大剣部上端の折り込み方法で表面に「へそ」を作るか、また通常の結び形状を作るか選択できる。「結び目形成部」の分割面下部には、ネクタイ大剣部が落ちないよう摩擦抵抗を大きくするため、大剣部を挟み込む部分にギザギザ（のこぎり状の細かい刻み模様）１４を施す。【００２７】また、「結び目形成部」にネクタイ生地を覆う場合には、生地を「結び目形成部」を覆うための形状に切断後、接着剤を使って接着する。生地を取替えて使用する場合には、結び目形成部及び生地にマジックテープ等を適切な箇所に付すことで、生地の貼付けや取外しが容易にできる。【００２８】図２は、「結び目形成部」１１にワイシャツ等衣服のボタン等に掛けて装着する「装着部」１２を接合したネクタイ結び目形状体の説明図である。装着部の曲面体３０を「結び目形成部」１１に接合するため、装着部の曲面体３０に装着部と結び目形成部の接合具３１を有し、「結び目形成部」上部の相対する箇所に嵌合穴３２を形成することにより、両者を結合させる。なお装着部を前もってワイシャツ等衣服のボタンに装着した後に、結び目形成部を装着部に一体化することもできるようにするため、装着部の曲面体３０は、「結び目形成部」１１と上記構成により着脱自在の構造とした。【００２９】装着部の曲面体３０に設けた「くびれ部」３３を、ワイシャツ等衣服のボタンに上部より押し込むことで結び目形状体をワイシャツ等衣服に装着できる。その際装着部の曲面体３０と「結び目形成部」１１にボタンが入る隙間が必要なため、「結び目形成部」上部に溝部２１を形成する。溝部２１には必要に応じて香水等を少量入れることができ、ネクタイのファッション性と共に香りを楽しむことができる。【００３０】装着部の曲面体３０と「結び目形成部」１１は着脱自在とし、ワイシャツ等衣服のボタンの位置によっては、ワイシャツ等衣服を先に着てから「ネクタイ結び目形状体」をボタンに上部より押し込んで取り付けることが難しい時は、先に装着部曲面体３０をワイシャツ等衣服のボタンに取り付け、その後「結び目形成部」の嵌合穴３２を「装着部曲面体」の接合具３１に押し付けて「結び目形成部」と「装着部曲面体」を結合することができる。【００３１】図３にワイシャツ等衣服に「ネクタイ結び目形状体」を取り付けるための装着部の説明図を示す。
薄い曲面体の形状の装着部曲面体３０と装着部と結び目形成部の接合具３１により構成され、装着部曲面体３０は伸縮できる柔らかい樹脂で作られている。ワイシャツ等衣服のボタンに装着するためのくびれ部３３を有する。また装着部を結び目形成部の嵌合穴３２に挿入するため、装着部曲面体３０に突起状接合具３１を有する。【００３２】次に第２実施形態に係るネクタイ結び目形状体を説明する。【００３３】ワイシャツ等衣服への装着部が、結び目形成部に伸縮自在の性質を持つゴムひも４１を接着剤などにより接合し、ゴムひも先端に留め具４２を取付ける。その留め具を、ワイシャツ等衣服の襟首部に取付けた紐４３に引っ掛けることにより、ワイシャツ等衣服に装着する。ワイシャツ等衣服の襟首部に取付けた紐４３は、両端をワイシャツ等衣服に縫い付け、中央部の縫い付けていない紐部分を残すことで留め具４２が入り、ネクタイ結び目形状体をワイシャツ等衣服に取付けることができる。ゴムひも４１の長さは、ワイシャツ等衣服にネクタイ結び目形状体を装着した時の装着感が良いように決める。【００３４】なおネクタイ結び目形状体をワイシャツ等衣服に取付ける手段としては、留め具４２の代わりに面ファスナー等を取付け、またワイシャツ等衣服の襟首部に取付けた紐４３の代わりにも面ファスナーを取付け、両者を接合することによっても取付けられる。【００３５】次にワイシャツ等衣服に「ネクタイ結び目形状体」を装着した状態を説明する。第１実施形態、第２実施形態ともに同様の装着状態となる。【００３６】図５に、ネクタイ大剣部５０を挟み込んだネクタイ結び目形状体１０を、ワイシャツ等衣服のボタンに装着した状態を示す。ネクタイ大剣部５０を挟み込む時の折部５１の折り方法により所謂「へそ」（ネクタイ中央のくぼみ）５２を形成できる。折り方法により通常のネクタイの結び目も形成できる。【００３７】この図ではネクタイ結び目形状体１０は布地等生地で覆っていないが、生地を覆った後にワイシャツ等衣服に装着することが通常である。ネクタイ結び目形状体は、前記のように生地で覆う場合が多いが、表面を着色する等により、そのまま生地を覆わずに使用することもできる。この結果ネクタイ小剣部の生地を使用せず大剣部のみの生地でネクタイを構成できることから小剣部の生地のリデュースが可能である。
【発明の効果】
【００３８】本発明のネクタイ結び目形状体を使用することにより、ネクタイの結び目部分に所謂「へそ」（ネクタイ中央のくぼみ）を形成でき、結び目部分とネクタイ本体部分の生地や色を変えることもできることでネクタイのデザインが広がり、ファッション性に富んだネクタイを提供できる。またネクタイ使用生地を減らすことや、結び目部分とネクタイ大剣部生地を取替えることができるため、生地をリディース・リユースできることで環境性にも配慮したネクタイを製造できる。
【図面の簡単な説明】
【００３９】
【図１】本発明の実施形態を示すネクタイ結び目形状体の「結び目形成部」分割前の正面図（ａ）、上面図（ｂ）、側面図（ｃ）、縦中央線Ａ−Ａ’で分割後の展開図（ｄ）
【図２】本発明の一実施形態にかかるネクタイ結び目形状体の正面図（ａ）、上面図（ｂ）、背面図（ｃ）、側面図（ｄ）である。
【図３】本発明の一実施形態にかかるネクタイ結び目形状体のワイシャツ等衣服への「装着部」の上面図（ａ）、側面図（ｂ）である。
【図４】本発明の他の実施形態にかかるネクタイ結び目形状体の正面図（ａ）、側面図（ｂ）、ワイシャツ等衣服の襟首部に取付けた紐状体の図（ｃ）である。
【図５】本発明にかかるネクタイ結び目形状体のワイシャツ等衣服への装着状態図である。
【符号の説明】
【００４０】１０  ネクタイ結び目形状体
１１  結び目形成部
１２  分割面上の突起部
１３  分割面上の嵌合穴
１４  ギザギザ（のこぎり状の細かい刻み模様）
１５  くびれ部
２１  溝部
２２  ネクタイ大剣部上端を挟み込む部分
３０  装着部曲面体
３１  装着部と結び目形成部の接合具
３２  結び目形成部の嵌合穴
３３  装着部の曲面体のくびれ部
４１  ゴムひも
４２  留め具
４３  ひも
５０  ネクタイ大剣部
５１  ネクタイの折部
５２  ネクタイ表面の「へそ」（中央のくぼみ）
【図１】
2007291583.tif 000003
【図２】
2007291583.tif 000004
【図３】
2007291583.tif 000005
【図４】
2007291583.tif 000006
【図５】
2007291583.tif 000007